【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
記憶装置に記憶される簡易ブログに投稿された投稿情報を集計するサーバと、前記投稿情報を集計した集計値に基づく地図を表示する携帯端末とが通信可能な情報処理システムであって、
前記サーバは、
所定の検索キーワードを含む投稿情報を検索する検索手段と、
前記検索手段による投稿情報の検索に基づき、前記検索キーワードに係る集計値を算出する算出手段と
を備え、
前記携帯端末は、
前記算出手段により算出された集計値に基づき、当該集計値が所定の基準を満たす検索キーワードに対応する領域を強調した地図を表示する表示手段
を備えることを特徴とする情報処理システム。
【請求項２】
前記サーバは、
前記算出手段による集計値の算出において、重み付けを用いた算出を行うための重み付けキーワードを記憶する重み付けキーワード記憶手段と、
前記検索手段により検索された前記検索キーワードを含む投稿情報に前記重み付けキーワードが含まれているか否かを判定する判定手段と
を更に備え、
前記算出手段は、前記判定手段により前記重み付けキーワードが含まれていると判定された場合に、所定の重み付けをして算出することを特徴とする請求項１に記載の情報処理システム。
【請求項３】
前記サーバは、
前記検索手段により検索された前記検索キーワードを含む投稿情報を、前記検索キーワードに対応づけて記憶する検索結果記憶手段
を更に備え、
前記携帯端末は、
前記表示手段により表示された、前記検索キーワードに対応する領域に対するユーザによる操作を受け付ける操作受付手段と、
前記操作受付手段により操作を受け付けた領域に対応する検索キーワードに対応づく、前記検索結果記憶手段に記憶された投稿情報を要求する投稿情報要求手段と
を更に備え、
前記表示手段は、前記投稿情報要求手段により要求された投稿情報を表示することを特徴とする請求項１または２に記載の情報処理システム。
【請求項４】
前記検索結果記憶手段は、前記検索手段により検索された前記検索キーワードを含む投稿情報に係る数値を前記検索キーワードと時間情報に対応づけて記憶し、
前記表示手段は、投稿情報の傾向を示すべく、前記操作受付手段により操作を受け付けた領域に対応する検索キーワードに対応づく、前記検索結果記憶手段に記憶された投稿情報に係る数値の推移を前記時間情報に応じて表示することを特徴とする請求項３に記載の情報処理システム。
【請求項５】
前記携帯端末は、
前記検索キーワードを前記サーバに送信する検索キーワード送信手段を更に備え、
前記サーバは、
前記検索キーワード送信手段により送信された検索キーワードを受信する検索キーワード受信手段を更に備えることを特徴とする請求項１乃至４のいずれか１項に記載の情報処理システム。
【請求項６】
簡易ブログに投稿された投稿情報に含まれる検索キーワードの集計値に基づき、当該集計値が所定の基準を満たす検索キーワードに対応する領域を強調した地図を表示する携帯端末と通信可能な、記憶装置に記憶される前記簡易ブログに投稿された投稿情報を集計するサーバであって、
前記検索キーワードを含む投稿情報を検索する検索手段と、
前記検索手段による投稿情報の検索に基づき、前記検索キーワードに係る集計値を算出する算出手段と
を備えることを特徴とするサーバ。
【請求項７】
記憶装置に記憶される簡易ブログに投稿された投稿情報を集計し、所定の検索キーワードを含む投稿情報の検索に基づき前記検索キーワードに係る集計値を算出するサーバと通信可能な、前記投稿情報を集計した集計値に基づく地図を表示する携帯端末であって、
前記集計した集計値に基づき、当該集計値が所定の基準を満たす検索キーワードに対応する領域を強調した地図を表示する表示手段
を備えることを特徴とする携帯端末。
【請求項８】
記憶装置に記憶される簡易ブログに投稿された投稿情報を集計するサーバと、前記投稿情報を集計した集計値に基づく地図を表示する携帯端末とが通信可能な情報処理システムにおける制御方法であって、
前記サーバは、
所定の検索キーワードを含む投稿情報を検索する検索ステップと、
前記検索ステップによる投稿情報の検索に基づき、前記検索キーワードに係る集計値を算出する算出ステップと
を含み、
前記携帯端末は、
前記算出ステップにより算出された集計値に基づき、当該集計値が所定の基準を満たす検索キーワードに対応する領域を強調した地図を表示する表示ステップ
を含むことを特徴とする制御方法。
【請求項９】
簡易ブログに投稿された投稿情報に含まれる検索キーワードの集計値に基づき、当該集計値が所定の基準を満たす検索キーワードに対応する領域を強調した地図を表示する携帯端末と通信可能な、記憶装置に記憶される前記簡易ブログに投稿された投稿情報を集計するサーバにおける制御方法であって、
前記サーバは、
前記検索キーワードを含む投稿情報を検索する検索ステップと、
前記検索ステップによる投稿情報の検索に基づき、前記検索キーワードに係る集計値を算出する算出ステップと
を含むことを特徴とする制御方法。
【請求項１０】
記憶装置に記憶される簡易ブログに投稿された投稿情報を集計し、所定の検索キーワードを含む投稿情報の検索に基づき前記検索キーワードに係る集計値を算出するサーバと通信可能な、前記投稿情報を集計した集計値に基づく地図を表示する携帯端末における制御方法であって、
前記携帯端末は、
前記集計した算出された集計値に基づき、当該集計値が所定の基準を満たす検索キーワードに対応する領域を強調した地図を表示する表示ステップ
を含むことを特徴とする制御方法。
【請求項１１】
記憶装置に記憶される簡易ブログに投稿された投稿情報を集計するサーバと、前記投稿情報を集計した集計値に基づく地図を表示する携帯端末とが通信可能な情報処理システムにおいて実行可能なプログラムであって、
前記サーバを、
所定の検索キーワードを含む投稿情報を検索する検索手段と、
前記検索手段による投稿情報の検索に基づき、前記検索キーワードに係る集計値を算出する算出手段
として機能させ、
前記携帯端末を、
前記算出手段により算出された集計値に基づき、当該集計値が所定の基準を満たす検索キーワードに対応する領域を強調した地図を表示する表示手段
として機能させることを特徴とするプログラム。
【請求項１２】
簡易ブログに投稿された投稿情報に含まれる検索キーワードの集計値に基づき、当該集計値が所定の基準を満たす検索キーワードに対応する領域を強調した地図を表示する携帯端末と通信可能な、記憶装置に記憶される前記簡易ブログに投稿された投稿情報を集計するサーバにおいて実行可能なプログラムであって、
前記サーバを、
前記検索キーワードを含む投稿情報を検索する検索手段と、
前記検索手段による投稿情報の検索に基づき、前記検索キーワードに係る集計値を算出する算出手段
として機能させることを特徴とするプログラム。
【請求項１３】
記憶装置に記憶される簡易ブログに投稿された投稿情報を集計し、所定の検索キーワードを含む投稿情報の検索に基づき前記検索キーワードに係る集計値を算出するサーバと通信可能な、前記投稿情報を集計した集計値に基づく地図を表示する携帯端末において実行可能なプログラムであって、
前記携帯端末を、
前記集計した算出された集計値に基づき、当該集計値が所定の基準を満たす検索キーワードに対応する領域を強調した地図を表示する表示手段
として機能させることを特徴とするプログラム。
【手続補正２】
【補正対象書類名】明細書
【補正対象項目名】０００９
【補正方法】変更
【補正の内容】
【０００９】
本発明は、簡易ブログに投稿された投稿情報を集計した集計値に基づく地図の表示を可能にする仕組みを提供することを目的とする。
【手続補正３】
【補正対象書類名】明細書
【補正対象項目名】００１１
【補正方法】変更
【補正の内容】
【００１１】
本発明によれば、簡易ブログに投稿された投稿情報を集計した集計値に基づく地図の表示を可能にする仕組みを提供することができる。